【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、
前記反射表示領域に対応して設けられた前記液晶層厚調整層は、前記１つのドット領域内において十字状に交差した第１の領域と第２の領域とに設けられ、該第１の領域及び該記第２の領域は前記略矩形のドット領域の隣接した２辺のそれぞれに沿う方向に延びており、前記反射表示領域と前記透過表示領域との間には、前記ドット領域の内側に向けて屈曲した４つの傾斜面を備えていることを特徴とする、液晶表示装置。
【請求項２】  一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、
前記反射表示領域に対応して設けられた前記液晶層厚調整層は、前記１つのドット領域内においてＸ字状に交差した第１の領域と第２の領域とに設けられ、前記反射表示領域と前記透過表示領域との間には、前記ドット領域の内側に向けて屈曲した４つの傾斜面を備えていることを特徴とする、液晶表示装置。
【請求項３】  前記第１の領域は前記ドット領域の一方の対角線に沿う方向に設けられており、前記第２の領域は前記ドット領域の他方の対角線に沿う方向に設けられていることを特徴とする請求項２に記載の液晶表示装置。
【請求項４】  一対の基板間に誘電異方性が負の液晶を有した液晶層を挟持してなり、１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、
前記ドット領域内において、前記反射表示領域に対応して設けられた前記液晶層厚調整層は、略直線状の本線部と、当該本線部の両端部のそれぞれから分岐して延びた分岐部とを有して構成され、前記反射表示領域と前記透過表示領域との間には傾斜面を備えていることを特徴とする、液晶表示装置。
【請求項５】  一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、
前記反射表示領域に対応して設けられた前記液晶層厚調整層は、前記１つのドット領域内において、前記ドットを構成する辺とその対辺のそれぞれに分けて設けられ、前記反射表示領域と前記透過表示領域との間には、前記辺及びその対辺から前記ドット領域の内側に向けて屈曲した２つの傾斜面を備えていることを特徴とする、液晶表示装置。
【請求項６】  前記一対の基板のうちのいずれか一方の基板の内面にカラーフィルターが備えられたことを特徴とする、請求項１〜５のいずれかの項に記載の液晶表示装置。
【請求項７】  請求項１〜６のいずれかの項に記載の液晶表示装置を備えたことを特徴とする、電子機器。
【手続補正２】
【補正対象書類名】明細書
【補正対象項目名】０００８
【補正方法】変更
【補正の内容】
【０００８】
【課題を解決するための手段】
上記の目的を達成するために、本発明の液晶表示装置は、一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、前記反射表示領域に対応して設けられた前記液晶層厚調整層は、前記１つのドット領域内において十字状に交差した第１の領域と第２の領域とに設けられ、該第１の領域及び該記第２の領域は前記略矩形のドット領域の隣接した２辺のそれぞれに沿う方向に延びており、前記反射表示領域と前記透過表示領域との間には、前記ドット領域の内側に向けて屈曲した４つの傾斜面を備えていることを特徴とする。
【手続補正３】
【補正対象書類名】明細書
【補正対象項目名】００１２
【補正方法】変更
【補正の内容】
【００１２】
また、本発明の液晶表示装置は、一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、前記反射表示領域に対応して設けられた前記液晶層厚調整層は、前記１つのドット領域内においてＸ字状に交差した第１の領域と第２の領域とに設けられ、前記反射表示領域と前記透過表示領域との間には、前記ドット領域の内側に向けて屈曲した４つの傾斜面を備えていることを特徴とする。
また、上記において、本発明の液晶表示装置は、前記第１の領域は前記ドット領域の一方の対角線に沿う方向に設けられており、前記第２の領域は前記ドット領域の他方の対角線に沿う方向に設けられていることを特徴とする。
【手続補正４】
【補正対象書類名】明細書
【補正対象項目名】００１４
【補正方法】変更
【補正の内容】
【００１４】
さらに、本発明の液晶表示装置は、一対の基板間に誘電異方性が負の液晶を有した液晶層を挟持してなり、略矩形の１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、前記反射表示領域に対応して設けられた前記液晶層厚調整層は、前記１つのドット領域内において、前記ドットを構成する辺とその対辺のそれぞれに分けて設けられ、前記反射表示領域と前記透過表示領域との間には、前記辺及びその対辺から前記ドット領域の内側に向けて屈曲した２つの傾斜面を備えていることを特徴とする。
【手続補正５】
【補正対象書類名】明細書
【補正対象項目名】００１６
【補正方法】変更
【補正の内容】
【００１６】
さらに、本発明の液晶表示装置は、一対の基板間に誘電異方性が負の液晶を有した液晶層を挟持してなり、１つのドット領域内に透過表示を行う透過表示領域と反射表示を行う反射表示領域とが設けられ、前記一対の基板のうちの少なくとも一方の基板と前記液晶層との間には、前記反射表示領域と前記透過表示領域とで前記液晶層の層厚を異ならせる液晶層厚調整層が少なくとも前記反射表示領域に設けられた液晶表示装置であって、前記ドット領域内において、前記反射表示領域に対応して設けられた前記液晶層厚調整層は、略直線状の本線部と、当該本線部の両端部のそれぞれから分岐して延びた分岐部とを有して構成され、前記反射表示領域と前記透過表示領域との間には傾斜面を備えていることを特徴とする。
この構成によれば、透過表示領域を４つに配向分割することができ、高輝度，広視野角，高コントラストな表示が可能となる。